【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
以下の式を有する官能基からなる群から独立して選択された２個以上の側基を有する可溶性ポリマー：
【化１】
2007517130.tif 000001
（式中、
Ｒ1およびＲ2が結合されているジカルボキシイミド基と共にＲ1およびＲ2は、芳香族基、飽和または不飽和環式基あるいは飽和または不飽和二環式基に縮合することができる４員から８員のヘテロ環式基またはヘテロ二環式基を形成し、
Ｒ3はアルキル、アリール、アラルキルまたは−ＮＲaＲb（ここで、ＲaおよびＲbはそれぞれアルキル基であるか、またはＲaおよびＲbが結合されている窒素原子と共に４員から８員のヘテロ環式基を形成する）であり、
Ｒ4およびＲ5が結合されているジカルボキシイミド基と共にＲ4およびＲ5は、芳香族基、飽和または不飽和環式基あるいは飽和または不飽和二環式基に縮合することができる４員から８員のヘテロ環式基またはヘテロ二環式基を形成し、
Ｒ6はフルオロアルキル、クロロアルキル、−ＮＲcＲd（ここで、ＲcおよびＲdはそれぞれアルキル基であるか、またはＲcおよびＲdが結合されている窒素原子と共に４員から８員の環式基を形成する）であるか、あるいはＲ6は、Ｒeと、Ｒ6およびＲeが結合されている基と共に、芳香族基、飽和または不飽和環式基あるいは飽和または不飽和二環式基に縮合することができる４員から８員のヘテロ環式基またはヘテロ二環式基を形成し、
Ｚはアルキル、アリールまたは−（ＣＯ）Ｒe（ここで、Ｒeは、Ｒ6と、Ｒ6およびＲeが結合されている基と共に、窒素ヘテロ原子および硫黄ヘテロ原子を有する４員から８員のヘテロ環式基またはヘテロ二環式基を形成し、ここで、前記ヘテロ環式基およびヘテロ二環式基は、芳香族基、飽和または不飽和環式基あるいは飽和または不飽和二環式基に縮合することができる）であり、
Ｙ1は、式
−Ｙ1a−Ａｒ1−
（式中、
Ａｒ1はスルホニル基に結合したアリーレン基であり、
Ｙ1aは、単結合、アルキレン、ヘテロアルキレン、カルボニル、カルボニルオキシ、カルボニルイミノ、オキシ、チオ、−ＮＲf−（Ｒfは水素またはアルキルである）およびそれらの組み合わせからなる群から選択される）の二価基であり、
Ｙ2およびＹ3はそれぞれ独立して、アルキレン、ヘテロアルキレン、アリーレン、カルボニル、カルボニルオキシ、カルボニルイミノ、オキシ、チオ、−ＮＲf−（Ｒfは水素またはアルキルである）およびそれらの組み合わせからなる群から選択された二価基であり、また、
Ｙ4およびＹ5はそれぞれ結合である）。
【請求項２】
前記２個以上の側基は、式
【化２】
2007517130.tif 000002
（式中、各Ｒは独立してアルキル基である）
を有する官能基からなる群から独立して選択される、請求項１に記載の可溶性ポリマー。
【請求項３】
式Ａ−Ｒ7−Ｘ−Ｃ（Ｏ）−Ｃ（Ｒ8）＝ＣＨ2
（式中、Ａは式
【化７】
2007517130.tif 000003
（式中、
Ｒ1およびＲ2が結合されているジカルボキシイミド基と共にＲ1およびＲ2は、芳香族基、飽和または不飽和環式基あるいは飽和または不飽和二環式基に縮合することができる４員から８員のヘテロ環式基またはヘテロ二環式基を形成し、
Ｒ3はアルキル、アリール、アラルキルまたは−ＮＲaＲb（ここで、ＲaおよびＲbはそれぞれアルキル基であるか、またはＲaおよびＲbが結合されている窒素原子と共に４員から８員のヘテロ環式基を形成する）であり、
Ｒ4およびＲ5が結合されているジカルボキシイミド基と共にＲ4およびＲ5は、芳香族基、飽和または不飽和環式基あるいは飽和または不飽和二環式基に縮合することができる４員から８員のヘテロ環式基またはヘテロ二環式基を形成し、
Ｒ6はフルオロアルキル、クロロアルキル、−ＮＲcＲd（ここで、ＲcおよびＲdはそれぞれアルキル基であるか、またはＲcおよびＲdが結合されている窒素原子と共に４員から８員の環式基を形成する）であるか、あるいはＲ6は、Ｒeと、Ｒ6およびＲeが結合されている基と共に、芳香族基、飽和または不飽和環式基あるいは飽和または不飽和二環式基に縮合することができる４員から８員のヘテロ環式基またはヘテロ二環式基を形成し、
Ｚはアルキル、アリールまたは−（ＣＯ）Ｒe（ここで、Ｒeは、Ｒ6と、Ｒ6およびＲeが結合されている基と共に、窒素ヘテロ原子および硫黄ヘテロ原子を有する４員から８員のヘテロ環式基またはヘテロ二環式基を形成し、ここで、前記ヘテロ環式基およびヘテロ二環式基は、芳香族基、飽和または不飽和環式基あるいは飽和または不飽和二環式基に縮合することができる）であり、
Ｙ1は、式
−Ｙ1a−Ａｒ1−
（式中、
Ａｒ1はスルホニル基に結合したアリーレン基であり、
Ｙ1aは、単結合、アルキレン、ヘテロアルキレン、カルボニル、カルボニルオキシ、カルボニルイミノ、オキシ、チオ、−ＮＲf−（Ｒfは水素またはアルキルである）およびそれらの組み合わせからなる群から選択される）の二価基であり、
Ｙ2およびＹ3はそれぞれ独立して、アルキレン、ヘテロアルキレン、アリーレン、カルボニル、カルボニルオキシ、カルボニルイミノ、オキシ、チオ、−ＮＲf−（Ｒfは水素またはアルキルである）およびそれらの組み合わせからなる群から選択された二価基である）
を有する官能基からなる群から選択され、
Ｘは−Ｎ（Ｒ9）−または−Ｏ−であり、
Ｒ7はアルキレン、ヘテロアルキレン、アリーレン、ヘテロアリーレンおよびそれらの組み合わせからなる群から選択された二価基であり、ここで、アルキレンおよびヘテロアルキレンは１個以上のカルボニルを含んでいてもよく、
Ｒ8は水素またはメチルであり、また、
Ｒ9は水素またはＣ1~6アルキル基である）
の少なくとも１種のモノマーから調製された可溶性ポリマー。
【請求項４】
以下の式の、少なくとも１０００の分子量を有する可溶性ランダムポリマーであって：
【化８】
2007517130.tif 000004
（式中、
各Ｒ”は独立してＨまたはＣＨ3であり、
各Ｅは−Ｏ−または−ＮＲf−（Ｒfは水素またはアルキルである）であり、
ｍ’、ｎ’、ｏ’、ｐ’は各部分がポリマー中に存在する回数であり、
Ｘ’、Ｙ’、Ｚ’およびＷ’は独立してアルキル、アリール、ヒドロキシエステル、アルコキシアルキル、アルコキシアリール、エーテル、フルオロアルキル、トリアルコキシシリルアルキルおよびＮ−含有基からなる群から選択され、
Ｘ’、Ｙ’、Ｚ’またはＷ’の少なくとも１個は式
【化９】
2007517130.tif 000005
のアシルスルホンアミド基を含む）
少なくとも２個の異なる部分を含む可溶性ランダムポリマー。
【請求項５】
モノマーを重合させることを含む可溶性ポリマーを製造する方法であって、少なくとも１種のモノマーが式Ａ−Ｒ7−Ｘ−Ｃ（Ｏ）−Ｃ（Ｒ8）＝ＣＨ2
（式中、Ａは式
【化１５】
2007517130.tif 000006
（式中、
Ｒ1およびＲ2が結合されているジカルボキシイミド基と共にＲ1およびＲ2は、芳香族基、飽和または不飽和環式基あるいは飽和または不飽和二環式基に縮合することができる４員から８員のヘテロ環式基またはヘテロ二環式基を形成し、
Ｒ3はアルキル、アリール、アラルキルまたは−ＮＲaＲb（ここで、ＲaおよびＲbはそれぞれアルキル基であるか、またはＲaおよびＲbが結合されている窒素原子と共に４員から８員のヘテロ環式基を形成する）であり、
Ｒ4およびＲ5が結合されているジカルボキシイミド基と共にＲ4およびＲ5は、芳香族基、飽和または不飽和環式基あるいは飽和または不飽和二環式基に縮合することができる４員から８員のヘテロ環式基またはヘテロ二環式基を形成し、
Ｒ6はフルオロアルキル、クロロアルキル、−ＮＲcＲd（ここで、ＲcおよびＲdはそれぞれアルキル基であるか、またはＲcおよびＲdが結合されている窒素原子と共に４員から８員の環式基を形成する）であるか、あるいはＲ6は、Ｒeと、Ｒ6およびＲeが結合されている基と共に、芳香族基、飽和または不飽和環式基あるいは飽和または不飽和二環式基に縮合することができる４員から８員のヘテロ環式基またはヘテロ二環式基を形成し、
Ｚはアルキル、アリールまたは−（ＣＯ）Ｒe（ここで、Ｒeは、Ｒ6と、Ｒ6およびＲeが結合されている基と共に、窒素ヘテロ原子および硫黄ヘテロ原子を有する４員から８員のヘテロ環式基またはヘテロ二環式基を形成し、ここで、前記ヘテロ環式基およびヘテロ二環式基は、芳香族基、飽和または不飽和環式基あるいは飽和または不飽和二環式基に縮合することができる）であり、
Ｙ1は、式
−Ｙ1a−Ａｒ1−
（式中、
Ａｒ1はスルホニル基に結合したアリーレン基であり、
Ｙ1aは、単結合、アルキレン、ヘテロアルキレン、カルボニル、カルボニルオキシ、カルボニルイミノ、オキシ、チオ、−ＮＲf−（Ｒfは水素またはアルキルである）およびそれらの組み合わせからなる群から選択される）の二価基であり、
Ｙ2およびＹ3はそれぞれ独立して、アルキレン、ヘテロアルキレン、アリーレン、カルボニル、カルボニルオキシ、カルボニルイミノ、オキシ、チオ、−ＮＲf−（Ｒfは水素またはアルキルである）およびそれらの組み合わせからなる群から選択された二価基である）
を有する官能基からなる群から選択され、
Ｘは−Ｎ（Ｒ9）−または−Ｏ−であり、
Ｒ7はアルキレン、ヘテロアルキレン、アリーレン、ヘテロアリーレンおよびそれらの組み合わせからなる群から選択された二価基であり、ここで、アルキレンおよびヘテロアルキレンは１個以上のカルボニルを含んでいてもよく、
Ｒ8は水素またはメチルであり、また、
Ｒ9は水素またはＣ1~6アルキル基である）
の化合物である方法。